(57)【要約】【課題】着脱が容易で嵩張らず、しかも保温性の高いインナーベストを提供すること。【解決手段】上着の下に着用し、後身頃１１と、この後身頃１１に接続される左前身頃１２及び右前身頃１３とを有して構成されるインナーベスト１０であって、薄手で通気性の良好なメッシュ素材にて、ファスナ１７を用いて前開き構造に構成されると共に、温熱材１８を収納して保持する背部ポケット１４Ａ、１４Ｂ、肩部ポケット１５Ａ、１５Ｂ、腹部ポケット１６Ａ、１６Ｂが設けられたものである。【選択図】図２
0003123988.tif 000002
【実用新案登録請求の範囲】
【請求項１】
上着の下に着用するインナーベストであって、
薄手で通気性の良好な素材にて前開き構造に構成されると共に、温熱材を保持する保持部が複数箇所に設けられたこと
を特徴とするインナーベスト。
【請求項２】
薄手で通気性の良好な前記素材は、メッシュ素材であることを特徴とする請求項１に記載のインナーベスト。
【請求項３】
前記前開き構造は、後身頃に接続される左右の両前身頃が、左右方向中央位置で接合手段により開閉可能に接合されて構成されたことを特徴とする請求項１又は請求項２に記載のインナーベスト。
【請求項４】
前記前開き構造は、後身頃に接続される左右の両前身頃の一方に、着用者の人体の腹部中央を覆うように延在された延在部分を有する構成としたことを特徴とする請求項１又は請求項２に記載のインナーベスト。
【請求項５】
前記延在部分は、前記前身頃の他方に重ね合わされることを特徴とする請求項４に記載のインナーベスト。
【請求項６】
前記延在部分は、温熱材を保持する保持部を有することを特徴とする請求項４又は請求項５に記載のインナーベスト。
【請求項７】
前記前身頃のうち、着用者の人体の腹部中央を覆うように延在された前身頃の一方は、前記延在部分の延在方向に沿う１以上の箇所で、前記前身頃の他方に係止手段を用いて係止されることを特徴とする請求項４又は請求項５に記載のインナーベスト。
【請求項８】
前記保持部が、通気性の良好なメッシュ素材にて構成されたことを特徴とする請求項１乃至請求項７のうち、いずれか１に記載のインナーベスト。
【請求項９】
前記保持部が、温熱材を収納するポケット構造に構成されたことを特徴とする請求項１乃至請求項８のうち、いずれか１に記載のインナーベスト。
【請求項１０】
前記インナーベストの脇部が、伸縮性に富む素材にて構成されたことを特徴とする請求項１乃至請求項９のうち、いずれか１に記載のインナーベスト。
【考案の詳細な説明】
【技術分野】
【０００１】
本考案はインナーベストに係り、特に冬季の屋外活動において使用するのに好適な保温機能を備えたインナーベストに関する。
【背景技術】
【０００２】
従来より、主に冬季の屋外活動（例えば、ゴルフや釣りなどのスポーツ他）において、着用者の人体の各部を保温するためにカイロを複数個保持可能なベストとして、例えば、特許文献１乃至特許文献３等に開示されているものがある。このうち、特許文献１及び特許文献２に記載のベストは前開き構造であり、特許文献３に記載のベストは、頭から被って着用する構造のベストである。
【０００３】
【特許文献１】実開平４‐６４５１２号公報
【特許文献２】特開平１１‐１５２６０９号公報
【特許文献３】実開平６‐３７３１２号公報
【考案の開示】
【考案が解決しようとする課題】
【０００４】
ところが、特許文献１乃至特許文献３に記載のベストは、いずれも上着として着用するタイプのものであり、インナーとしては使用できないため、着用者が自分の好みに応じたファッションを楽しむことができないという問題があった。
【０００５】
また、特許文献１及び特許文献２に記載のベストでは、前開き構造であるため、突き合せ部分の両側にカイロが保持されることになり、着用者の人体の腹部中央を良好に暖めることができない場合があった。
【０００６】
これに対し、特許文献３に記載のベストは、着用者の人体の腹部中央を暖めることができるものの、前開き構造ではないため、周囲の状況や体温の変化に応じてベストを早く着脱することが困難であった。
【０００７】
本考案の目的は、上述の事情を考慮してなされたものであり、着脱が容易であって他の衣服と重ね着をしても嵩張らず、しかも保温性の高いインナーベストを提供することにある。
【課題を解決するための手段】
【０００８】
本考案は、上着の下に着用するインナーベストであって、薄手で通気性の良好な素材にて前開き構造に構成されると共に、温熱材を保持する保持部が複数箇所に設けられたことを特徴とする。
【０００９】
また、本考案は、薄手で通気性の良好な前記素材は、メッシュ素材であることを特徴とする。
【００１０】
また、本考案は、前記前開き構造は、後身頃に接続される左右の両前身頃が、左右方向中央位置で接合手段により開閉可能に接合されて構成されたことを特徴とする。
【００１１】
また、本考案は、前記前開き構造は、後身頃に接続される左右の両前身頃の一方に、着用者の人体の腹部中央を覆うように延在された延在部分を有する構成としたことを特徴とする。
【００１２】
また、本考案は、前記延在部分は、前記前身頃の他方に重ね合わされることを特徴とする。
【００１３】
また、本考案は、前記延在部分は、温熱材を保持する保持部を有することを特徴とする。
【００１４】
また、本考案は、前記前身頃のうち、着用者の人体の腹部中央を覆うように延在された前身頃の一方は、前記延在部分の延在方向に沿う１以上の箇所で、前記前身頃の他方に係止手段を用いて係止されることを特徴とする。
【００１５】
また、本考案は、前記保持部は、通気性の良好なメッシュ素材にて構成されたことを特徴とする。
【００１６】
また、本考案は、前記保持部は、温熱材を収納するポケット構造に構成されたことを特徴とする。
【００１７】
また、本考案は、前記インナーベストの脇部は、伸縮性に富む素材にて構成されたことを特徴とする。
【考案の効果】
【００１８】
本考案によれば、薄手の素材によって構成したので、上着の下に着用した場合であっても嵩張ることがない。また、温熱材を保持する保持部を設けたので、この温熱材によって着用者の人体を暖め保温することができる。更に、通気性の良好な素材にて構成したので、保持部に保持された温熱材に酸素が供給されやすく、当該温熱材の発熱を効果的に促進することができる。また、インナーベストが前開き構造であるため、インナーベストの着脱を容易に実施できる。
【００１９】
また、薄手で通気性の良好な素材が軽量且つ柔軟なメッシュ素材で構成したことから、スポーツなどを行う場合にも動きやすく、着心地が良好である。特に、メッシュ素材であれば、温熱材により暖められた空気が保持部近傍に留まらず広範囲に発散されるので、着用者の人体の広範囲を暖め保温することができる。
【００２０】
また、左右の両前身頃が、左右方向中央位置で接合手段により開閉可能に接合されて前開き構造が構成したことにより、インナーベストの着脱を、周囲の状況に応じて素早く容易に実施できる。
【００２１】
また、左右の両前身頃の一方が、着用者の人体の腹部中央を覆うように延在され、この延在部分に保持部を設置したことから、この保持部に保持された温熱材により、着用者の人体の腹部中央を効果的に暖め保温することができる。
【００２２】
また、前身頃のうち、着用者の人体の腹部中央を覆うように延在された前身頃の一方は、この延在方向に沿う箇所で、前記前身頃の他方に係止手段を用いて係止されるようにしたため、前身頃の一方が重力の作用でズレ落ちることを防止できる。
【００２３】
また、保持部が通気性の良好なメッシュ素材にて構成したことから、保持部にて保持された温熱材に酸素がより一層供給され易く、且つ、温熱材にて暖められた空気が、保持部からより一層広範囲に発散され易い。この結果、温熱材による温熱効果をより一層向上させることができる。
【００２４】
また、保持部が温熱材を収納するポケット構造で構成したから、温熱材を収納してその保持を容易化できると共に、その温熱材の不用意な抜け落ちを効果的に防止できる。
【００２５】
また、インナーベストの脇部が伸縮性に富む素材にて構成したことから、この脇部が着用者の体形に対応して伸縮することで、インナーベストを着用者の人体に密着させることができる。この結果、温熱材による人体の保温性をより一層高めることができる。
【考案を実施するための最良の形態】
【００２６】
以下、本考案を実施するための最良の形態を、図面に基づき説明する。
［Ａ］第１の実施の形態（図１、図２）
図１は、本考案に係るインナーベストの第１の実施の形態を示す正面図、図２は、図１のインナーベストにおける左右の両前身頃を略開いた状態で示す正面図である。
【００２７】
図１及び図２に示すように、インナーベスト１０は、上着（不図示）の下に重ね着の状態で着用する、保温機能を備えたインナーベストである。このインナーベスト１０は、後身頃１１と、後身頃１１に接続される左右一対の前身頃（左前身頃１２及び右前身頃１３）と、温熱材１８を収納して保持する保持部としての複数個のポケット（背部ポケット１４Ａ、１４Ｂ、肩部ポケット１５Ａ、１５Ｂ、腹部ポケット１６Ａ、１６Ｂ）とを有して構成される。
【００２８】
後身頃１１、左前身頃１２及び右前身頃１３は、薄手で通気性の良好な素材、例えばメッシュ素材にて構成される。後身頃１１、左前身頃１２及び右前身頃１３が薄手であることから、インナーベスト１０を上着の下に重ね着の状態で着用した場合にも嵩張ることがなく、また、スポーツなどを行う場合にも動きやすく、着心地が良好となる。また、インナーベスト１０の上に好みの上着を着用することで、自由なファッションを楽しむことができる。
【００２９】
左前身頃１２と右前身頃１３は、インナーベスト１０の左右方向中央位置で、ファスナ１７等の接合手段により突合せ状態で開閉可能に接合されて、前開き構造に構成される。このように、インナーベスト１０の左右方向中央位置で前開き構造が構成されたので、インナーベスト１０を、周囲の状況に応じて素早く容易に着脱することができる。
【００３０】
温熱材１８は、例えば使い捨てカイロである。また、前記背部ポケット１４Ａ及び１４Ｂは、後身頃１１の内面側における中央位置に複数、例えば一列に２段設けられる。背部ポケット１４Ａ、１４Ｂ内には、それらの開口部１９から温熱材１８が落とし込みにより収納され、温熱材１８により、着用者の人体の背部が暖められ保温される。
【００３１】
肩部ポケット１５Ａ、１５Ｂは、後身頃１１の内面側における左右の肩部にそれぞれ設置される。肩部ポケット１５Ａ、１５Ｂ内には、それらの開口部１９から温熱材１８が落とし込みにより収納され、温熱材１８により、着用者の人体の肩が暖められ保温される。
【００３２】
腹部ポケット１６Ａは、左前身頃１２の内面側における下部で、ファスナ１７の近傍に設置される。また、腹部ポケット１６Ｂは、右前身頃１３の内面側における下部で、ファスナ１７の近傍に設置される。これらの腹部ポケット１６Ａ、１６Ｂ内には、それらの開口部１９から温熱材１８が落とし込みにより収納され、温熱材１８により、着用者の人体の腹部が暖められ保温される。
【００３３】
これらの背部ポケット１４Ａ、１４Ｂ、肩部ポケット１５Ａ、１５Ｂは、ポケット構成布２１を後身頃１１に縫合することにより構成される。また、腹部ポケット１６Ａは、ポケット構成布２１を左前身頃１２に、腹部ポケット１６Ｂは、ポケット構成布２１を右前身頃１３に、それぞれ縫合することにより構成される。このように、背部ポケット１４Ａ、１４Ｂ、肩部ポケット１５Ａ、１５Ｂ、腹部ポケット１６Ａ、１６Ｂの構成要素の一つが、メッシュ素材からなる後身頃１１、左前身頃１２、右前身頃１３であることから、この通気性の良好なメッシュ素材を介して、各ポケット内の温熱材１８へ酸素が供給され易くなり、この結果、温熱材１８の発熱を促進することができる。
【００３４】
更に、背部ポケット１４Ａ、１４Ｂ、肩部ポケット１５Ａ、１５Ｂ、腹部ポケット１６Ａ、１６Ｂを構成する一部は、メッシュ素材からなる後身頃１１、左前身頃１２、右前身頃１３であることから、各ポケット内の温熱材１８で暖められた空気が、各ポケット内に留まらず、メッシュ素材を介して広範囲に発散する。この結果、着用者の人体を各ポケットに対応する位置のみならず、広範囲に亘り暖め保温することができる。
【００３５】
しかも、背部ポケット１４Ａ、１４Ｂ、肩部ポケット１５Ａ、１５Ｂ、腹部ポケット１６Ａ、１６Ｂの構成要素であるポケット構成布２１自体も、通気性の良好なメッシュ素材にて構成される。従って、各ポケットに収納された温熱材１８へ酸素がより一層供給され易くなると共に、温熱材１８にて暖められた空気が各ポケットから一層広範囲に発散され易い。この結果、背部ポケット１４Ａ、１４Ｂ、肩部ポケット１５Ａ、１５Ｂ、腹部ポケット１６Ａ、１６Ｂ内に収納された温熱材１８による温熱効果をより一層向上させることができる。
【００３６】
背部ポケット１４Ａ、１４Ｂ、肩部ポケット１５Ａ、１５Ｂ、腹部ポケット１６Ａ、１６Ｂが上述のようにポケット構造であることから、温熱材１８を収納してその保持を容易化できると共に、温熱材１８の不用意な抜け落ちを防止できる。また、背部ポケット１４Ａ、１４Ｂ、肩部ポケット１５Ａ、１５Ｂが後身頃１１の内面側に設けられ、腹部ポケット１６Ａ、１６Ｂが左前身頃１２、右前身頃１３のそれぞれの内面側に設けられたことから、着用者の動作によっても、収納された温熱材１８の抜け落ちを良好に防止できる。
【００３７】
更に、背部ポケット１４Ａ、１４Ｂ、肩部ポケット１５Ａ、１５Ｂ、腹部ポケット１６Ａ、１６Ｂのそれぞれの開口部１９、特に肩部ポケット１５Ａ、１５Ｂの開口部１９は、面ファスナ２０などの閉塞手段によって閉塞可能に構成されてもよい。この場合には、着用者が前屈みの姿勢をとったときにも、肩部ポケット１５Ａ、１５Ｂから温熱材１８が落下することを確実に防止できる。
【００３８】
尚、背部ポケット１４Ａ、１４Ｂ、肩部ポケット１５Ａ、１５Ｂ、腹部ポケット１６Ａ、１６Ｂの総てに温熱材１８を収納して保持する必要はなく、着用者が寒さに応じて、保温が必要と思われるポケットにのみ温熱材１８を収納して保持し、その着用者に快適な保温を実現してもよい。
【００３９】
また、インナーベスト１０の後身頃１１と左前身頃１２、右前身頃１３との間に設けられる脇部２２は、伸縮性に富む素材にて構成される。従って、脇部２２が着用者の体形に応じて伸縮することで、インナーベスト１０を着用者の人体に適度に密着させることができる。この結果、背部ポケット１４Ａ、１４Ｂ、肩部ポケット１５Ａ、１５Ｂ、腹部ポケット１６Ａ、１６Ｂ内の温熱材１８が人体に適度に押し付けられることになり、密着性が良好となって温熱材１８による人体の保温性をより一層高めることができる。
【００４０】
［Ｂ］第２の実施の形態（図３乃至図５）
図３は、本考案に係るインナーベストの第２の実施の形態を示す正面図、図４は、図３のインナーベストにおける左右の両前身頃を略開いた状態で示す正面図である。この第２の実施の形態において、前記第１の実施の形態と同様な部分は、同一の符号を付すことにより説明を省略する。
【００４１】
第２の実施の形態のインナーベスト３０が前記インナーベスト１０と異なる点は、左前身頃３１及び右前身頃３２の形状と、これらの左前身頃３１及び右前身頃３２によるインナーベスト３０の前開き構造である。
【００４２】
左前身頃３１、右前身頃３２は、左前身頃１２、右前身頃１３と同様に後身頃１１に接続され、これらの左前身頃１２、右前身頃１３と同様に、薄手で通気性の良好な素材にて構成されている。しかし、左前身頃３１は、図５にも示すように、着用者の人体の腹部中央を覆うように右前身頃３２側へ延在され、この延在部分３４に腹部ポケット３３が設置される。この腹部ポケット３３は、前記腹部ポケット１６Ａ、１６Ｂと同様に温熱材１８を収納して保持する。この腹部ポケット３３内の温熱材１８によって、着用者の人体の腹部中央を効果的に暖め保温することができる。尚、腹部ポケット３３も、腹部ポケット１６Ａ、１６Ｂと同様なポケット構成布２１にて構成される。
【００４３】
延在部分３４を備え腹部ポケット３３が設置された左前身頃３１は、右前身頃３２と、図３及び図５に示すように、開閉可能に重ね合されて前開き構造に構成される。インナーベスト３０がこのような前開き構造であることから、頭から被って着用するインナーベストに比べ、インナーベスト３０の着脱を容易化できる。
【００４４】
延在部分３４を備え腹部ポケット１３が設置された左前身頃３１は、延在方向に１以上の箇所、例えば２箇所に設けられた係止手段としての面ファスナ３５と、面ファスナ３６Ａ、３６Ｂ、３６Ｃ、３６Ｄとによって右前身頃３２に係止される。面ファスナ３５は、左前身頃３１の外面側における延在部分３４の先端位置に設置される。また、面ファスナ３６Ａ乃至３６Ｄは、左前身頃３１の外面側における左右方向略中央位置に一列に複数個設置される。
【００４５】
また、右前身頃３２の内面側には、左前身頃３１との重ね合せ状態で、面ファスナ３５に対応する位置に面ファスナ３７が、面ファスナ３６Ａ、３６Ｂ、３６Ｃ、３６Ｄにそれぞれ対応する位置に面ファスナ３８Ａ、３８Ｂ、３８Ｃ、３８Ｄがそれぞれ設けられる。左前身頃３１が右前身頃３２と重ね合わされたとき、面ファスナ３５が面ファスナ３７に係止され、面ファスナ３６Ａ乃至３６Ｄのそれぞれが面ファスナ３８Ａ乃至３８Ｄのそれぞれに係止される。これにより、左前身頃３１の腹部ポケット３３に温熱材１８が収納されて保持された場合にも、この左前身頃３１が重力の作用でズレ落ちることを防止できる。
【００４６】
以上、本考案を前記実施の形態に基づいて説明したが、本考案はこれに限定されるものではない。
例えば、前記両実施の形態では、温熱材１８を保持する保持部がポケット構造の場合を述べたが、後身頃１１、左前身頃１２、右前身頃１３等の内面側にバンドを装着し、このバンドを用いて温熱材１８を保持してもよい。また、温熱材１８が使い捨てカイロの場合を述べたが、燃料を充填して繰り返し使用するタイプのカイロであってもよい。また、図３において、腹部ポケット３３の温熱効果の調整のために、左前身頃３１を右前身頃３２よりも内側にして係止したり、右前身頃３２を左前身頃３１よりも内側にして係止したりすることが選択的にできような係止手段を設けてもよい。また、右前身頃３２と延在部分３４を有する左前身頃３１とが重ね合わされることなく、突合せ状態で接合手段（例えば、ファスナ）により開閉可能に接合されてもよい。
【図面の簡単な説明】
【００４７】
【図１】本考案に係るインナーベストの第１の実施の形態を示す正面図である。
【図２】図１のインナーベストにおける左右の両前身頃を略開いた状態で示す正面図である。
【図３】本考案に係るインナーベストの第２の実施の形態を示す正面図である。
【図４】図３のインナーベストにおける左右の両前身頃を略開いた状態で示す正面図である。
【図５】図４のインナーベストにおける左前身頃を閉じた状態で示す正面図である。
【符号の説明】
【００４８】
１０  インナーベスト
１１  後身頃
１２  左前身頃
１３  右前身頃
１４Ａ、１４Ｂ  背部ポケット
１５Ａ、１５Ｂ  肩部ポケット
１６Ａ、１６Ｂ  腹部ポケット
１７  ファスナ（接合手段）
１８  温熱材
１９  開口部
２１  ポケット構成布
２２  脇部
３０  インナーベスト
３１  左前身頃
３２  右前身頃
３４  延在部分
３３  腹部ポケット
３５、３７  面ファスナ（係止手段）
３６Ａ、３６Ｂ、３６Ｃ、３６Ｄ  面ファスナ（係止手段）
【図１】
0003123988.tif 000003
【図２】
0003123988.tif 000004
【図３】
0003123988.tif 000005
【図４】
0003123988.tif 000006
【図５】
0003123988.tif 000007